Podtech/llm-jp-corpus-v4-ja_patent huggingface dataset:
(57)【要約】      （修正有）【課題】開封器具などを使用することなく、カップ麺等の熱収縮性フィルムを剥がすことができ、商品陳列中においては、異物混入などの不安のない包装材を提供する。【解決手段】容器本体の外周面を覆うように包装する熱収縮性フィルムであって、該熱収縮性フィルムの外面に開封片を設け、該開封片の上部近傍の位置に相当する箇所と、これに連続する右側面近傍に、ミシン目が¬字型形状からなる切り込み部を形成する。【選択図】図１
0003177031.tif 000002
【実用新案登録請求の範囲】
【請求項１】
容器本体の外周面を覆うように包装する熱収縮性フィルムであって、該熱収縮性フィルムの外面に開封片を設け、該開封片の上部近傍の位置に相当する箇所と、これに連続する右側面近傍に、ミシン目が¬字型形状からなる切り込み部を形成したことを特徴とする包装材。
【考案の詳細な説明】
【技術分野】
【０００１】  本考案は、熱収縮性フィルムによる包装が破損されることなく、また、容易に且つ安全に開封できる包装材を提供するものである。
【背景技術】
【０００２】  従来、特開平６−２４７４２６号公報（特許文献１）が前述の目的を解決するものとして、汎用の熱収縮フィルムを用いて、自動包装機のライン上において気密性に優れ、かつ使用時に簡単に剥離することが可能なカップ状容器の包装方法及びそのための包装装置が提案され、極めて有効なものであるが、装置は確実性が要求されるため、複雑であるため、コストアップが懸念される。また、特許第２７４４１８６号公報（特許文献２）としてカップ状容器、特にカップ麺の容器を熱収縮性を有するフィルムで熱収縮包装するための方法及びそのための装置に関するものであり、使用時には、開封用ラベルの開封片を指で把持して引っ張るだけでフィルムに切れ目が生じ、当該切れ目からフィルムを容器より容易に取り外すことができるものである。また、考案者等は特開２００９−１５４９２２号公報に示される発明を提案している。いずれも所期の目的を解決するものであるが、さらに効果的であり、コストダウンの要望に応えるものが必要である。【０００３】
【特許文献１】特開平６−２４７４２６号公報
【特許文献２】特許第２７４４１８６号公報
【特許文献２】特開２００９−１５４９２２号公報
【考案の開示】
【考案が解決しようとする課題】
【０００４】  本考案は、従来の問題点に鑑み案出されたものであり、構造が簡単で安価で店頭に陳列した時には、商品を安全安心で保護しつつも、使用時には簡単に包装フィルムを開封できる包装材を提供するものである。
【課題を解決するための手段】
【０００５】  本考案は、従来知られている開封片を覆う熱収縮性フィルムに開封用ミシン目を開設したものであり、詳しくは容器本体の外周面を覆うように包装する熱収縮性フィルムであって、該熱収縮性フィルムの外面に開封片を設け、該開封片の上部近傍の位置に相当する箇所と、これに連続する右側面近傍に、ミシン目が¬字型形状からなる切り込み部を形成したことを特徴とする。
また少なくとも¬型を有する数字の７の文字形状に設けても略同様の効果が得られるものである。
シュリンクフィルムは、熱収縮させる際の耐熱性を有する材料であり、プラスチック材料である。例えばポリエチレンテレフタレート（ＰＥＴ）、ポリエチレンナフタレート（ＰＥＮ）などのポリエステル系樹脂、ポリスチレンなどのポリスチレン系樹脂、ポリエチレン、ポリプロピレンなどのポリオレフイン系樹脂、ポリ塩化ビニルポリカーボネート、アリレート樹脂などの熱可塑性樹脂などであるが、これら樹脂は、２種以上をブレンドして用いることもできる。
【考案を実施するための形態】
【０００６】  本考案の包装材を実施例に基づいて説明すると、感応試験を老若男女で行った結果、初期では切込形状は全て、「ティアテープを下に引っ張って破る」という視点から試作を実施していた。しかし欠点として指で摘まむ、爪で引っ掻く等取掛かりがないと容易に開封ができなかった。そこで「ティアテープを親指で下に押し込んで破る」という構造の方が多面性を考えて妥当であるという結論に達し、押し込み型のサンプルを作成し、アンケートとコメントを頂いた。
これによりどの切込形状が適しているのか絞込みを行い、寄せられた意見としては、「押さえる時に爪があたる」、「発泡スチロールのような柔らかい容器では開封するのに苦労する」等の意見が寄せられた。また、ほとんどの方が説明無しでは親指で押し込むよりも爪などで引っ掻いて摘まむための取掛かりを作ろうとする仕草が見受けられた。
以上のことから、「引っ張って破る」、「押し込んで破る」どちらの方法でも開封出来る切込形状を考案し、２種類のサンプルを作成した。作成したサンプルを比較検証した結果、「外装フィルムの表面にティアテープ、上部にコの字、¬字を組み合わせたミシン目」が最も適した形状であると決定した。この切込形状は「ストレスを感じず開封出来る」ということが判明した。
【０００７】  容器例えばカップ麺用容器側面に位置するように熱収縮性フィルム１に接着固定した縦２５ｍｍで横幅８ｍｍからなる開封片２と、該開封片２の左側上部の縦方向に５ｍｍの上部から連続する開封片１より広い幅の１２ｍｍ幅で、さらにこの右端部から下方へ連続する１４ｍｍ長の数字の¬字形状のミシン目による切込み部３を形成し、熱収縮性フィルム２の切り込み部３と開封片１の厚みとにより上方から下方に向かって指の爪の部分を滑らせることにより開封を誘因した全体の熱収縮フィルム１を容器本体から剥がし取るように成したものである。
【０００８】  以上のようにしてなる本考案による包装材は例えば非常時などの食事の際も指で容易に開封することが可能となるものである。
【０００９】  また、包装材の包装方法としては容器本体に熱収縮性フィルムで被包し、開放部分をシールした後に、加熱装置を通過させるか、熱風を吹き付けるなどして、フィルムの熱収縮性を利用してフィルムを熱収縮させることにより容器本体を包装するものである。
【００１０】  包装材の開封片の取り付け装置などの図示は省略したが、現在使用しているものを利用し完成させることで容易に実施できるものである。また、上述の加熱装置や熱風装置も現在使用されているものを利用するものである。
【考案の効果】
【００１１】  本考案の開封片２は、陳列中は剥がれ難いため、商品価値を落とすことがなく、また異物混入などの悪戯もされ難いばかりでなく、使用時には器具による開封操作時の指の怪我などの心配がなく、容易に開封器具などを利用しなくても簡単に開封できるものであり、実用価値大なるものである。
【図面の簡単な説明】
【００１２】
【図１】本考案の実施例を示す主要部分を示す正面図である。
【図２】他の実施例を示す主要部分を示す正面図である。
【符号の説明】
【００１３】  １  熱収縮性フィルム
２  開封片
３  切り込み部
【図１】
0003177031.tif 000003
【図２】
0003177031.tif 000004
(57)【要約】【課題】  机上での仕事時及び人の往来の邪魔になることがなく、省スペース化が図られ、室内環境を改善することができる鉢植え支持装置を提供する。【解決手段】  支持柱１と、該支持柱１の上端に設けられた植木鉢受け部材２と、前記支持柱１の下端に設けられた支持柱固定部材３からなり、好ましくは、前記支持柱１が伸縮自在である鉢植え支持装置【選択図】  図１
0003177038.tif 000002
【実用新案登録請求の範囲】
【請求項１】
支持柱と、該支持柱の上端に設けられた植木鉢受け部材と、前記支持柱の下端に設けられた支持柱固定部材とからなることを特徴とする鉢植え支持装置。
【請求項２】
前記支持柱が伸縮自在であることを特徴とする請求項１に記載の鉢植え支持装置。
【請求項３】
前記支持柱の上部を複数に分岐し該分岐支持柱の上端にそれぞれ植木鉢受け部材を設けたことを特徴とする請求項１又は２に記載の鉢植え支持装置。
【請求項４】
前記支持柱固定部材がクリップであることを特徴とする請求項１、２又は３に記載の鉢植え支持装置。
【請求項５】
前記支持柱固定部材がクランプであることを特徴とする請求項１、２又は３に記載の鉢植え支持装置。
【考案の詳細な説明】
【技術分野】
【０００１】
本考案は、室内環境の改善を図る鉢植え支持装置に関する。
【背景技術】
【０００２】
草花、植木（以下単に「植物」と言う。）は人の心を和やかにし、人の環境を改善する効果を有することから、室内に植物を配置することが行われている。従来、室内での植物の配置は、主に床面に植木鉢を置くことにより行われている。
【０００３】
前記床面に植木鉢を置くことは、観賞のために、必然的に植木鉢も植木鉢に植えられる植物も大型になり、さらに広い設置スペースを必要とする。
【０００４】
そこで、机の縁、パーテーションの上などに植木鉢の支持器を取り付けることが提案されている（特許文献１及び特許文献２）。
【特許文献１】実開平７−２４１６９号公報
【特許文献２】登録実用新案第３０６４８７０号  しかしながら、前記提案では、いずれも、植木鉢の支持器が机の上部あるいは周縁に配置されて机の上面あるいは縁部から突出し、机上での仕事時及び人の往来の邪魔になるという問題があった。
【考案の概要】
【考案が解決しようとする課題】
【０００５】
本考案は、前記事情に鑑み、机上での仕事時及び人の往来の邪魔になることがなく、省スペース化を図った鉢植え支持具を提供すること及び室内環境の改善を図ることを目的とする。
【課題を解決するための手段】
【０００６】
前記課題を解決するため、本考案の鉢植え支持装置は、支持柱と、該支持柱の上端に設けられた植木鉢受け部材と、前記支持柱の下端に設けられた支持柱固定部材とからなることを特徴とする（請求項１）。
【０００７】
本考案では、支持柱固定部材により支持柱が、例えば、机の縁に起立させられる。なお、支持柱の長さ（高さ）は、植木鉢受け部材に支持された植木鉢の植物を周囲を往来する人が観賞し易い長さ（高さ）となるように予め調整される。
【０００８】
前記本考案によれば、机上での仕事時及び人の往来の邪魔になることがなく、省スペース化が図られ、さらに室内環境の改善が図られる。
【０００９】
本考案の実施の一形態は、前記支持柱が伸縮調整自在であることを特徴とする（請求項２）。この実施の一形態によれば、使用場所に合わせて支持柱の長さを調整して最適の高さで植物を観賞することができる。また、装置の梱包、発送等において支持柱を縮小及びコンパクトにして取り扱うことができて便利である。
【００１０】
本考案の実施の一形態は、前記支持柱の上部を複数に分岐して該分岐支持柱の上端にそれぞれ植木鉢受け部材を設けたことを特徴とする（請求項３）。この実施の一形態によれば、複数の植物を同時に観賞することができる。
【００１１】
本考案の実施の一形態は、前記支持柱固定部材がクランプであることを特徴とする（請求項４）。この実施の一形態によれば、前記支持柱を机の縁等にワンタッチで固定及び起立させることができる。
【００１２】
本考案の実施の一形態は、前記支持柱固定部材がクリップであることを特徴とする（請求項５）。この実施の一形態によれば、前記支持柱を机の縁等にワンタッチで固定及び起立させることができる。その他、前記支持柱の固定及び起立はネジを利用して行うことができる。
【考案の効果】
【００１３】
本考案によれば、机上での仕事時及び人の往来の邪魔になることがなく、省スペース化が図られ、室内環境の改善を図ることができる。
【図面の簡単な説明】
【００１４】
【図１】本考案の実施の一形態に係る鉢植え支持装置の側面図である。
【図２】本考案の他の実施の一形態に係る鉢植え支持装置の側面図である。
【図３】本考案の他の実施の一形態に係る鉢植え支持装置の側面図である。
【図４】本考案の他の実施の一形態を示す鉢植え支持装置の側面図である。
【図５】本考案の他の実施の一形態を示す鉢植え支持装置の斜視図である
【考案を実施するための形態】
【００１５】
以下に、添付図面を参照して、本考案を実施するための最良の形態について説明する。
【００１６】
図１において、１は支持柱であり、該支持柱１の上端には植木鉢受け部材２が設けられる。前記支持柱１は所定の強度を有する金属、プラスチックなどのパイプを使用することが好ましい。
【００１７】
前記植木鉢受け部材２も前記支持柱１と同様に金属、プラスチック等で構成することは好ましく、さらに必要に応じて着色や模様が施される。図中、３は前記支持柱１の固定部材でありクランプで構成されている。図中、４は植木鉢、５は植物である。
【００１８】
前記構成の本考案は、前記支持柱固定部材３を机の縁６等に固定して前記支持柱１を起立させて使用される。その結果、装置全体が上方に延長され、したがって机上での仕事時及び人の往来の邪魔になることがない。
【００１９】
図２は、他の一実施例を示し、前記支持柱固定部材３をクリップで構成した例であり、その他の構成は前記図１と同様である。
【００２０】
図３は、さらに他の一実施例を示し、前記支持柱１を伸縮自在に構成した例である。すなわち、前記支持柱１を大径の支持柱１ａと小径の支持柱１ｂで構成し、前記大径の支持柱１ａ内に前記小径の支持柱１ｂを挿入して伸縮自在とし、前記大径の支持柱１ａに前記小径の支持柱１ｂに先端が到達する止めネジ７を螺合したものである。
【００２１】
前記実施例によれば、前記支持柱１ａ、１ｂを伸縮調整して前記植木鉢受け部材２の高さを自由に調整できる。
【００２２】
図４は、さらに他の一実施例を示し、前記支持柱１の上部を１ｃ、１ｄ及び１ｅに分岐し、該分岐支柱１ｃ、１ｄ及び１ｅの上端にそれぞれ植木鉢受け部材２ａ、２ｂ及び２ｃを設けた例であり、複数の植物を同時に観賞できるものである。
【００２３】
図５は、前記支持柱１を複数使用して、その上端に比較的大きい植木鉢受け部材２を設けた例であり、基本的には前記各実施例と同様の構成である。
【符号の説明】
【００２４】
１、１ａ、１ｂ  支持柱
２、２ａ、２ｂ、２ｃ  植木鉢受け部材
３  支持柱固定部材
４  植木鉢
【図１】
0003177038.tif 000003
【図２】
0003177038.tif 000004
【図３】
0003177038.tif 000005
【図４】
0003177038.tif 000006
【図５】
0003177038.tif 000007
(57)【要約】      （修正有）【課題】カレーのように粘度の高い液体を加熱する時に、底面に接する部分が焦げつかない鍋を提供する。【解決手段】ガラス製の蓋１に、回転軸４を介して鍋底において回転摺動する摺動部分（ブレード）３を取り付ける。さらに、上記の回転軸４にハンドル２を取り付けて、ハンドル２を回転駆動することにより、摺動部分（ブレード）３を鍋底で回転摺動させる。ハンドル２の代わりに電動機により操作しても良い。これにより、鍋底には、常に、新しい液に置き換えられるようになり、鍋底が焦げ付くことを防止する。【選択図】図１
0003177053.tif 000002
【実用新案登録請求の範囲】
【請求項１】
鍋のガラス蓋に鍋底を摺動する装置を付けたことを特徴とするカレー用の鍋。
【請求項２】
鍋のガラス蓋に取り付けたハンドルを回すことにより鍋底を摺動する装置を作動させることを特徴とする請求項１記載のカレー用の鍋。
【考案の詳細な説明】
【考案の概要】
【考案が解決しようとする課題】  カレーのように粘度の高い液体を加熱すると対流が起きにくいので、ヘラなどでかき混ぜていないと鍋の底面に接する部分が焦げ付きを起こしてしまう。
そこで、この考案は、カレーのように粘度の高い液体を加熱する時に、底面に接する部分が焦げ付かない鍋を提供することを課題とする。
【課題を解決するための手段】  以上の課題を解決するために、第一考案は、鍋のガラス蓋に鍋底を摺動する装置を付けたことを特徴とするカレー用の鍋である。
また、第二考案は、鍋のガラス蓋に取り付けたハンドルを回すことにより鍋底を摺動する装置を作動させることを特徴とするカレー用の鍋である。
【考案の効果】  第一考案、または第二考案によれば、鍋底を摺動する装置を作動させると、鍋底は常に新しい液に置き換えられるので、鍋底が焦げ付くことが無くなる。
副次的な効果として、焦げ付きの心配が無いので強い火力での加熱が可能になり、加熱時間が短縮する。また、沸騰時に飛散したカレーによる火傷の危険が無くなる。
【図面の簡単な説明】
【図１】この考案の一実施形態を示す断面図である。
【考案を実施するための形態】
この考案の一実施形態を、図１に示す。
ガラス製の蓋１に鍋底を摺動する装置を付けた一実施形態を示す断面図である。
「実施形態の効果」
この実施形態によれば、鍋のガラス蓋に取り付けたハンドルを回し鍋底を摺動する装置を作動させることにより鍋底が焦げ付くことが無くなる。
「他の実施形態」
図１の実施形態では、鍋のガラス蓋に取り付けたハンドルを回し鍋底を摺動する装置を作動させていたが、他の実施形態では、電動で鍋底を摺動する装置を作動させたものでも良い。
【符号の説明】  １  ガラス蓋    ２  ハンドル    ３  摺動部分（ブレード）
４  回転軸    ５  上部固定部品    ６  下部固定部品
【図１】
0003177053.tif 000003
(57)【要約】【課題】寝衣交換、身体の観察や処置，清拭排泄等の介助を容易に行うことが出来る、後ろ開き型介護用パジャマを提供すること。【解決手段】上着、ズボンそれぞれの後ろ身ごろに大きく開きを設けたかぶり型パジャマ。【選択図】図１
0003177054.tif 000002
【実用新案登録請求の範囲】
【請求項１】
（１）上着の後ろ身ごろに大きく開きを設けてかぶり型とし、ズボンは後ろ股上すべてを開いた型にして着脱を簡単に構成したことを特徴とする介護用パジャマ。
【考案の詳細な説明】
【技術分野】
【０００１】  本考案は上着・ズボンそれぞれ後ろ開き型にした介護用パジャマに関するものである。
【背景技術】
【０００２】  高齢者の増加とともに在宅介護、老老介護は避けることのできない現状であるが、病人や寝たきり者の寝衣の着替えは、ケアする側、される側双方の負担がかなり大きく、着替え、身体の処置や観察、清拭排泄等の介助にも大きな支障をきたしている。【０００３】  病人や寝たきり者の寝衣の着替えは、体を左右に何度も動かす必要があり、ケアする側、される側双方の身体的負担がかなり大きく、また背部腰部の処置や観察、清拭排泄等の介助に大きな負担を要する。
【先行技術文献】
【特許文献】
【特許文献】  特開２０１２−５７２８７号  公報
【０００４】
【特許文献１】
【考案概要】
【考案が解決しようとする課題】
【０００５】  前記状況に対し、着替え等のケアを容易にする従来技術として特開２０１２−５７２８７号に記載された発明が提案されている。この発明は上着、ズボンともに前身頃、後ろ身頃をファスナーでとめる状態であるため、着替え時にはファスナーの開閉にはかなりの負担があり、また簡単迅速という面では短所である。
そこで本考案は、上着は後ろ開きのかぶり型、ズボンは後ろ股上をウエストまで開いた型とするパジャマにすることにより、病人や寝たきり者の寝衣の着替えが容易にでき、ケアする側、される側双方の負担を軽くして前述の課題を解決しょうとするものである。
【課題を解決するための手段】
【０００６】  本考案は、上着の後ろ身頃の中央に充分な長さの後ろ開きを設けて、かぶり型とし、またズボンは後ろ股上をすべて開いたことにより、簡単かつ迅速な着替えや身体の処置、観察、清拭排泄等の介助が容易に出来るパジャマを提供することを目的とするものである。
【考案の効果】
【０００７】  本考案によるかぶり型パジャマは、病人や寝たきり者が仰向けのままでケアする者が一人でも寝衣の交換が簡単にできるようになり、労力の大幅な軽減とあわせて病人、寝たきり者の心身の大幅な負担の軽減をすることができる。
また背部腰部の処置や観察、清拭排泄等の介助が身体の露出を最小限にして簡単にできるので、病人や寝たきり者の身体的および心理的な負担の軽減と不必要な露出を最小限にすることができる。
【図面の簡単な説明】
【０００８】
【図１】  上着の後ろ身頃中央を開いた背面図である。
【図２】  ズボンの後ろ股上をすべて開いた背面図である。
【実施例】
【０００９】  以下、添付図面に従って本考案の実施例を説明する
図１は上着である。１は前身頃、  ２は後ろ身頃、  ３は袖、  ４は襟、  ５は背縫い、６は後ろ身頃の開き、  ７は裾。  背縫い下端から７裾までを大きく開きにしたことによるかぶり型の上着。【００１０】  図２はズボンである。８は前身頃、  ９は後ろ身頃、  １０はウエスト（ゴム又はひもを通す）１１は股下、  １２は後ろ股下から股上すべてを開いたズボン。【００１１】  一方上着の後ろ身ごろの背縫い５下端から裾７までは大きく開いた状態にする。またズボンは後ろ股下１２から股上すべてを開いた構成にして着替えや排泄介助などを容易かつ迅速に行えるようにしたものである。【００１２】  上着を着せるときは、仰向けのまま襟の部分から頭を入れ、袖に腕を交互に通し、後ろ身ごろをそれぞれ左右の背部腰部に入れ、裾を腰まで引き整える。
ズボンをはかせるときはウエスト部分が大きく開くので両足同時に簡単、かつ迅速に、はかせることができ、また左右の後ろ身頃を腰部に入れるのみで乱れもなく外観上も良い。【００１３】  上着を脱がせるときは仰向けのまま後ろ身ごろを左右に大きく広げ、腕を曲げ袖の部を持ち上げながら引き抜き襟の部分をもち頭から脱がせる。
ズボンを脱がせるときは仰向けのまま後ろ身頃を左右に大きく広げウエスト部分を持ち足元に引き下ろし脱がせる。【００１４】  背部腰部の処置や観察、清拭排泄等の介助は後ろ身頃中央部の開きを広げるのみで容易にでき、また身体の露出を最小限にすることができる。尚且つ上衣、ズボンともにファスナー、ボタン等を全く使用してないのでケアする側とされる側双方の負担軽減になる。
【符号の説明】
【００１５】１  上着  前身頃
２        後ろ身頃
３        袖
４        襟
５        背縫い
６        後ろ身頃開き
７        裾
８  ズボン前身頃
９        後ろ身頃
１０      ウエスト
１１      股下
１２      ウエストまでの開き
【図１】
0003177054.tif 000003
【図２】
0003177054.tif 000004
(57)【要約】      （修正有）【課題】高級布生地を使用した買い物袋として使用するに適した買い物袋であって、不使用時にコンパクトに折り畳んでポケットの中に収納することができる買い物袋を提供する。【解決手段】上部開口部の左右両側に上部に把手が設けられた柔軟な高級布生地買い物袋と、該買い物袋を折り畳んで収納できるポケットとを備え、前記ポケットは、上下に長い表布の表面に該表布よりも短い布を重ね会わせて両端側縁部と底部を縫着することにより、表布の上下方向中間部より少し上に開口を有するポケットとして形成され、不使用の際には、折り畳んでコンパクトなサイズにして、ポケットの中に収納することを特徴とする。【選択図】図１
0003177866.tif 000002
【実用新案登録請求の範囲】
【請求項１】
上端部が開口する柔軟な高級生地布を使用した買い物袋１は、買い物袋本体２を折り畳んで収納できる同種生地布又は異種生地布のポケット３を設け、買い物袋２の表布４の横巾中心部の長手方向上部指定個所に上部に開口部を有するポケット３の両端側縁部５と底部６を縫い合わせ固着するように設け、袋本体２の長手方向の両側端をポケットと反対側に折りたたみ、その折り畳んだ袋本体２の、上部先端部をポケット３と反対側に折り畳み、底部６もポケット３と反対側に折り畳み上部先端部の上にのせ、更にポケット３の開口部に挿入することを特徴とする高級買い物袋。
【請求項２】
本考案の高級買い物袋は、長手方向上部に一対の長い把手を備えた手提げ買い物袋であり、把手部を持つか、内容物が重い時には肩に掛けて持ち歩けることを特徴とする請求項１記載の高級買い物袋。
【請求項３】
本考案の高級買い物袋は、不使用時にはコンパクトに折り畳んでポケット部に収納することができる請求項１又は２に記載の高級買い物袋。
【考案の詳細な説明】
【技術分野】
【０００１】  本考案は、高級生地を使用した買い物袋として使用するに適した携帯用折りたたみ式でポケットに収納する少し高級の布生地製の買い物袋に関するものである。
【背景技術】
【０００２】  スーパーマーケット等で買い物をした場合は、商品を薄い合成樹脂シート製のレジ袋に入れて持ち帰っている。この種の袋は、使い捨ての袋であり、スーパーマーケットがサービスとして提供しているが、近年、環境保全や省資源の見地から、上記使い捨ての袋の代わりに、客がそれぞれ専用の袋を持参して買い物をする傾向が強くなっている。スーパーマーケット等で使用する袋、濡れたり汚れたりすることが多いので、ポリエステル等の柔軟な合成樹脂シートで製作されているものが多く、袋の左右または前後に１対の手提げ用把手が一体成形されているものが一般的である。又、樹脂繊維の布地の物もあり、これも不使用時に折り畳んでコンパクトに収納することのできるポケットが設けられているものもある。
【考案の概要】
【考案が解決しようとする課題】
【０００３】  上記課題を解決するために、本考案は次のような構成とした。すなわち、本考案に係る袋は、上端部が開口する布生地を使用したガセット袋で、両側にマチをつけた袋の構造をした高級な袋本体と、該袋本体を折り畳んで収納できるポケットを備えたことを特徴とし、又、上記袋は、一対の把手を備えた手提げ布生地袋として構成され、構造的により簡単で、収納や展開の手間がそれほどかからない便利な折り畳み式で小さくまとめ、ポケットに収納するような構造にした高級買い物袋を提供することを課題としている。
【課題を解決するための手段】
【０００４】  上記課題を解決するために、本考案は次のような構成とした。すなわち、本考案に係る高級買い物袋１は、上端部が開口する柔軟な高級布生地を利用した袋本体２と、該袋本体２を折り畳んで収納できるポケット３とを備え、前記ポケット３は、上下に長い表布４の表面に該表布４よりも短い同じ布又は異なった高級布生地を重ね合わせてその両側部５と底部６を固着することにより、表布４の上下中間部付近に開口部を有するポケット３として形成され、前記表布４の上端部の表裏は開放し、一対の把手７を備えた手提げ袋として構成されたことにより問題点を解決している。
【考案の効果】
【０００５】  本考案の高級生地買い物袋に係る袋は、レジ袋とは違い内容物は見えなく、外側に一つのポケットを袋本体に設けたもので、不使用時には、袋本体を折り畳んで、背布のポケット内にコンパクトに収納することができるので、持ち運びや保管に便利である。また、物品を入れる袋としての使用時には、袋本体をポケットから取り出して簡単に本来の大きさに広げることができるので、必要な収納量を確保することができる。なお、袋本体を広げた使用時には、外側にポケットがあり、小物入れと使用しても良く、又、外観的にも高級布生地を使用しているので、全体的に高級で見栄えが良くすっきりとしている。
【図面の簡単な説明】
【０００６】
【図１】本考案に係る袋の正面図である。
【図２】本考案に係る袋の平面図である。
【図３】本考案に係る袋の右側面図である。
【図４】本考案に係る袋の使用状態の正面図である。
【図５】本考案に係る袋の使用状態の右側面図である。
【図６】本考案に係る他の袋形状の平面図である。
【図７】本考案に係る他の袋の折り畳む前の平面図である
【図８】本考案の袋本体の取っ手部の半分を裏側に折り畳んだ平面図ある。
【図９】本考案を両端の幅を内側に折り畳み狭くした平面図である。
【図１０】本考案の袋本体の上部半分近くを裏側に折り畳んだ平面図である。
【図１１】本考案の袋本体の下部半分近くを裏側に折り畳み表のポケットの中に挿入した平面図である。
【考案を実施するための形態】
【０００７】  以下、本考案の実施形態について具体的に説明する。本考案の袋の例としての手提げ袋を表すもので、この手提げ袋は、袋本体とポケットとを備えている。
袋本体は、上端部が開口する布生地を使用したガセット袋で、両側にマチをつけた袋の構造をした高級な袋本体と左右両端部にそれぞれ把手となる張出部が形成された２枚の高級布生地を重ね合わせ、それらの両側縁部と底部をそれぞれ縫い合わせ、上部に開口している。
把手は、布を折り曲げて重ねた２重状態となっており、把手の下側の部分、すなわち袋本体の長手方向の両側縁部もポケットと反対側に袋本体の中心線に向かって折り畳み、底部、又は上部もポケットと反対側に折り畳み、長手方向袋本体のポケット内に押し込んで袋本体の大きさをコンパクトにし持ち運び易いようすることを特徴とする。
【符号の説明】
【０００９】１  高級生地の買い物袋
２  袋本体
３  ポケット
４  表布
５  両端側縁部
６  底部
７  把手
【図１】
0003177866.tif 000003
【図２】
0003177866.tif 000004
【図３】
0003177866.tif 000005
【図４】
0003177866.tif 000006
【図５】
0003177866.tif 000007
【図６】
0003177866.tif 000008
【図７】
0003177866.tif 000009
【図８】
0003177866.tif 000010
【図９】
0003177866.tif 000011
【図１０】
0003177866.tif 000012
【図１１】
0003177866.tif 000013
(57)【要約】      （修正有）【課題】四角睡の曜日表示部分と四角柱の日付表示部分を、台座部分に積み上げて作成するコンパクトで安価な卓上万年カレンダーを提供する。【解決手段】木材等の切断加工のしやすい部材を用い、日付の部材を、縦：横の比率が１：２となる四角柱を、１週間が７個で６週間分の４２個を用いて表示部分１〜４を形成する。表示部分の１段目から５段目までの正面に、１から２８までの平日用の数字を印刷し、その裏面に１から３１までの同じ数字を日曜・祝日用に別の色で印刷する。６段目は、正面に１月から６月までの各月の表示を印刷し、その裏面に７月から１２月までの各月の表示を印刷する。さらに、曜日の部材を、日付の四角柱の縦の３倍の高さの四角睡１を７個用い、日、月火、水、木、金、土の曜日の印刷をして最上部に乗せ、台座の上に月毎に積み上げて、卓上万年カレンダーをとする。【選択図】図１
0003177865.tif 000002
【実用新案登録請求の範囲】
【請求項１】
卓上万年カレンダーの作成において、
（１）木材等の切断加工のしやすい部材を用い、
（２）日付の部材を、縦：横の比率が１：２となる四角柱を、１週間が７個で６週間分の４２個を用い、
（３）１段目から４段目までの正面に、１から２８までの平日用の数字を印刷し、その裏面に１から２８までの同じ数字を日曜・祝日用に別の色で印刷し、
（４）５段目は、正面に２９から３１までの平日用の数字と、２９から３１までの日曜・祝日用の別の色の印刷をし、
（５）６段目は、正面に１月から６月までの各月の表示を印刷し、その裏面に７月から１２月までの各月の表示を印刷し、
（６）余った５段目の右端の部材の正面に春の表示を印刷し、裏面に秋の表示を印刷し、
（７）余った６段目の右端の部材の正面に夏の表示を印刷し、裏面に冬の表示を印刷し、
（８）曜日の部材を、日付の四角柱の縦の３倍の高さの四角睡を７個用い、日、月火、水、木、金、土の曜日の印刷をして最上部に乗せ、
（９）台座の上に月毎に積み上げて、あらゆる祝日に対応できる、以上からなる卓上万年カレンダー。
【考案の詳細な説明】
【技術分野】
【０００１】  本考案は、卓上万年カレンダーに関するものである。
【背景技術】
【０００２】  従来、万年カレンダーの多くは、祝日と日曜日の表示の区別がなく販売されてきた。それは、カレンダーが月毎に変わる為である。また、祝日は、一定ではなく変わることがある。そのために祝日と日曜日の表示をする万年カレンダーは、大変複雑になって、高価になってしまう。高価だから売れない。判りづらいから売れない。だから、万年カレンダーは高価な商品の販売と、祝日と日曜日の表示の区別を省略した販売が踏襲されてきた。
【考案の概要】
【考案が解決しようとする課題】
【０００３】  万年カレンダーの多くは大変高価である。そして、安価な万年カレンダーには、日曜・祝日の表示がない。また、通常の卓上カレンダーは１年しか使えない。使用後はゴミとして処分する。卓上万年カレンダーは、数十年以上は使用でき、ゴミとならないので地球温暖化の対策にもなる。従って、卓上万年カレンダーは、美しいインテリア小物にもなり、前述の欠点を解決しようとするものである。
【課題を解決するための手段】
【０００４】  本考案は、卓上万年カレンダーで、販売時にはカレンダーは初期表示をし、自らがガイドを手本に積み上げ、完成後には達成した満足感が充分堪能ができる。
【考案の効果】
【０００５】  上述の様に、本考案の卓上万年カレンダーは、従来の高価な万年カレンダーの代わりになるので、経済的負担がかなり削減できる。また、インテリア小物としての付加価値も加わり、コンパクトなＡ４サイズとなり、小売販売の場合の売り場面積が小さくてすみ、購入者が持ち帰えるにも便利である。
【図面の簡単な説明】
【０００６】
【図１】正面を斜め上から見た図面である。
【図２】裏面を斜め上から見た図面である。
【図３】正面から見た図面である。
【図４】裏面から見た図面である。
【図５】曜日表示の四角睡の図面である。
【図６】日付表示の四角柱の図面である。
【図７】台座の図面である。
【考案を実施するための形態】
【０００７】  最上部の曜日の表示の四角睡は、西欧のお城のイメージを表現しており、中段部の日付の表示は６週間をとり、余裕のある構成となっている。最下部の台座は移動の際に大変便利である。全体としてスリムで無駄のないインテリア小物である。
【符号の説明】
【０００８】１  曜日表示部分
２  日付表示部分
３  各月表示部分
４  四季表示部分
５  台座部分
【図１】
0003177865.tif 000003
【図２】
0003177865.tif 000004
【図３】
0003177865.tif 000005
【図４】
0003177865.tif 000006
【図５】
0003177865.tif 000007
【図６】
0003177865.tif 000008
【図７】
0003177865.tif 000009
(57)【要約】      （修正有）【課題】ペットボトルの、ＰＥＴとＰＥＴ以外のプラスチックの部分を分離するカッターを提供する。【解決手段】Ｃ形の形状の本体を有し、その中央部分で可動開閉可能で、当該分別用カッター本体の外周部側を握り、内周部側に有する複数の刃でペットボトルの飲み口の下部を挟み込み、分別用カッターの刃を押し当てるとともに、分別用カッター本体又はペットボトルを回転させて、飲み口部分を切断分離する。【選択図】図１
0003177864.tif 000002
【実用新案登録請求の範囲】
【請求項１】
Ｃ形の形状の本体を有し、その中央部分で可動開閉可能で、内周部側に有する複数の刃をペットボトルの飲み口下部に押し当て、分別用カッター本体又はペットボトルを回転させることにより、当該飲み口部分を切断分離することを特徴とする、ペットボトル分別用カッター。
【考案の詳細な説明】
【技術分野】
【０００１】  本考案は、ペットボトルのリサイクルに関する技術分野に属するものである。
【背景技術】
【０００２】  現在市場に流通している飲料水等のペットボトルの多くは、ペットボトル本体・キャップ部分・ラベルの３つの要素により構成され販売されている。ペットボトル本体の材質はＰＥＴであるが、キャップ部分及びラベルの材質は、ＰＥＴ以外のプラスチック（ＰＰ・ＰＥ等）が使用されているものがほとんどである。【０００３】  市場に流通したこれらの飲料水等のペットボトルのリサイクルの現状は、キャップ及びラベルはプラスチックとして、それ以外の部分はペットボトルとして回収・リサイクルされている。
【考案が解決しようとする課題】
【０００４】  キャップは、飲料水等を飲む際に取り外すことができるものがほとんどであり、単一の材質であるため、キャップだけを集めておこなうリサイクルが実行されている。飲用後のペットボトルにはラベルがあるが、これにはミシン目等が入り、比較的容易にペットボトル本体から分離できる。
【０００５】  実際に回収されている状態（キャップ及びラベルを取り除いたもの）のペットボトルを観察すると、ペットボトルの飲み口付近に、キャップと同質のプラスチックがリング状に残っている。
【０００６】  ゆえに、現状回収段階においては、ペットボトルはＰＥＴとプラスチックの混合物となっている。さらに、このリング状のプラスチックはラベルと異なり、容易にペットボトル本体から分離できないのが問題である。
【課題を解決するための手段】
【０００７】  本考案では、キャップと同質のプラスチックがリング状に残ったペットボトルの飲み口部分を、比較的簡単で尚且つ安全に、誰もが分別することができる器具を提供する。
【０００８】  具体的には、Ｃ形の形状の本体（図１参照）を有し、その中央部分で可動開閉可能であり、内周部側に複数の刃を有するものである。
【０００９】  これをペットボトルの飲み口の下部のリング状に残ったプラスチックの下の部分（図３参照）に、当該分別用カッター本体の外周部側を握り、挟み込むようにして分別用カッターの刃を押し当て、分別用カッター本体又はペットボトルを回転させて、ペットボトルの飲み口部分を切り離す。
【００１０】  これにより、ＰＥＴ以外のプラスチックの混合した飲み口部分と、１００％ＰＥＴのみのペットボトル部分とに分別することを実現する。
【考案の効果】
【００１１】  現在ペットボトルのリサイクルには、分別に多大なコストと多数の手間を必要としている。本考案の分別用カッターにより、回収段階前にペットボトルの飲み口部分が分離されていれば、１００％ＰＥＴのみのペットボトルの回収が可能になり、リサイクルコストを大幅に低減させ、尚且つ省力化を計ることが可能である。分離された飲み口部分も、プラスチックとして分別回収してリサイクルできる。
【００１２】  本考案の分別用カッターは、ペットボトルのサイズ（５００ｍｌ・１０００ｍｌ・１５００ｍｌ・２０００ｍｌ等）に関わりなく、広く汎用的に使用可能である。
【００１３】  また、製品の構造が単純で部品点数も少ないため、安価に製作することが可能である。
【図面の簡単な説明】
【００１４】
【図１】  分別用カッターの平面図
【図２】  分別用カッターの側面図
【図３】  ペットボトル側面図（部分）
【符号の説明】
【００１５】１．      分別用カッター本体
２．      刃
３．      開閉可動部
４．      刃固定ネジ
５．      ペットボトル（部分）
６．      残存プラスチック
７．      切断部位
【図１】
0003177864.tif 000003
【図２】
0003177864.tif 000004
【図３】
0003177864.tif 000005
(57)【要約】      （修正有）【課題】アタッチメントを簡単に手軽に交換することができる受け機具を提供する。【解決手段】バックホーのアーム先端の装着機具９に付けられるようにした受け機具で、下方に延びた側面板３の上部に装着機具９との連結穴を設け、下方にアタッチメント装着用の穴を設け、先端のリム８を突出させる。【選択図】図３
0003177861.tif 000002
【実用新案登録請求の範囲】
【請求項１】
バックホーアーム先端に装着されてる装着機具に連結出来るよう  リムで固定され下方に爪のように延びた両側の側面板３の上部に装着機具との連結穴４を設け下方両側面に別のアタッチメント装着用の穴５を設け  下方先端のリムを少し突出させた形状の受け機具。
【請求項２】
バックホーアーム先端に直接装備されたアタッチメント専用の穴に  側面板３の連結用の穴１０の部分を上部方向に突出１１させた形状の受け機具
【考案の詳細な説明】
【考案の詳細な説明】
【技術分野】
【０００１】本発明は、建設機械のバックホーのアームの先端に通常のバケットとは別にアタッチメントが簡単に取り付けられるようにした専用の装着機具に装着する受け機具の考案である【０００２】従来、バックホーのバケットを交換する作業は大変で不慣れだとなかなかうまく出来ない、まして  はさみバケットの交換はそれ以上に難しく作業の途中で一寸だけはさみに替えたりバケットに替えたりするのは容易な事ではなく結局交換せずに作業することが多かった、また今使われているはさみバケット等は重く  日に何度も付け替えるというように手軽に交換することは出来なかった  また現状の挟みバケット等ではコンクリート２次製品等を傷付けずに取り扱うことは出来なかった  。
【発明が解決しようする課題】
【０００３】本考案は  大きな作業性を有する建設機械バックホーのアームの先端に装着された専用の装着機具に軽くて丈夫な手のような形状のアタッチメントを簡単に手軽に装着出来るようにすることによって１台の機械でも  掘削の作業途中でも挟む作業に切り替えたり  逆に掘削作業に切り替えたり出来るようにし、また別の専用の機具を本案の先端に装着することによってコンクリート製品の様な重くて傷付けたくないような物でも一人で簡単に移動することが出来る  また別の機具を付け替えることによって円形のパイプ等でも同様に移動出来る  また別の専用の機具に替えることによって土砂等もつまんで移動出来るというように  手軽に脱着出来ることによって建設機械の有効利用を図ることを目的とする考案である。
【課題を解決するための手段】
【０００４】この課題を解決するための請求項１の考案は、バックホーのアーム▲１▼先端両側面に取り付けた装着機具に  装着出来るよう  下方に延び  リムで繋げた２枚の側面板３の上部側面に連結用の穴４を設け  下方に延びた側面板３の両側面に各種専用のアタッチメントが装着出来るように専用の穴５を設け  先端下部のリムを突出６せた構造の受け機具
【０００５】本案を使用する時は  本案上部を既にバックホーのアーム先端に装着されている装着機具の間に差し込み本案に設けた穴４と装着機具側の穴とをピンを通して連結する、本案は人力で持てる重さなので日に何回も簡単に取り換えて挟む為の作業が出来る、また通常の解体や片付け作業のほかに  本案側面の穴５に状況に応じた専用の機具を装着することによって  今までワイヤーで吊って移動していたコンクリート２次製品や  ブロック  やパイプ等を傷付けずに一人で移動出来  または少量の土砂はバケットではすくえなかったが土砂用の受け機具を本案の側面に設けた穴５に連結することによって一人で手軽に土砂をつまんで移動出来るようになる、整地作業等も長い柱材を掴んで地面を引くときれいな仕上げ整地もできる、このように本案を利用することによって新たな考案が生まれる可能性を有し  労力や時間  経費の削減になる。
【図面の簡単な説明】
【０００６】
【図１】本案の側面図
【図２】本案の正面図
【図３】本案装着状態の斜視図
【図４】本案の背面図
【図５】請求項２のアームに直接付けられるように連結穴の部分を上方１１に突出させた受け機具側面図
【図６】請求項２の正面図
【図７】請求項２の受け機具を使用状態の斜視図
【符号の説明】
【０００７】▲１▼    アーム
▲２▼    バケット
▲３▼    受け機具
▲４▼    装着機具との連結用穴
▲５▼    別アタッチメント装着用穴
▲６▼    突出部
▲７▼    ピンケース
▲８▼    リム
▲９▼    装着機具
▲１０▼  アーム連結用穴
▲１１▼  連結穴用突出部
【図１】
0003177861.tif 000003
【図２】
0003177861.tif 000004
【図３】
0003177861.tif 000005
【図４】
0003177861.tif 000006
【図５】
0003177861.tif 000007
【図６】
0003177861.tif 000008
【図７】
0003177861.tif 000009
(57)【要約】      （修正有）【課題】自動車の車体の横幅から外にはみ出さずに収まる側面後方確認の為の機能を有した自動車を提供する。【解決手段】広角レンズを用いたファイバースコープをサイドミラーの位置に配し、ファイバースコープによる側面後方視界を映すモニターを車内前方に配したことを特徴とし、車体の横幅を小さくすることができる。【選択図】図２
0003177840.tif 000002
【実用新案登録請求の範囲】
【請求項１】
広角レンズ使用のファイバースコープとモニターによる自動車側面後方視界の確保及び、その方法
【請求項２】
請求項１に準じて、自動車の鏡状後方等確認構造の変更
特に自動車の側面部に設置してある鏡状構造物に変わる側面後方安全確認  構造物に変わる、側面後方視界の手段。
【請求項３】
請求項１および２に記すところの構造物を使用した自動車死角に対する安全装置。
【考案の詳細な説明】
【技術分野】
【０００１】本考案は、一般的な自動車の側面後方確認に使用されている鏡状の構造物に変わる視界確認装置である
【背景技術】
【０００２】従来、自動車の側面後方確認では、サイドミラーと呼称されている鏡状の構造物を使用している。
【考案の開示】
【考案が解決しようとする課題】
【０００３】従来、［０００２］で説明するように、サイドミラーを使用していることから自動車の横幅の拡大において不便さ（衝突の危険さ）を感じていた。
【課題を解決するための手段】
【０００４】従来の自動車全幅を拡大していたところの構造物に変わるものとして、車体の横幅から外に、はみ出さずに収まる構造物。
本考案は、それら不便さを解決したものである。
【考案の効果】
【０００５】本考案は、これを使用することによって従来自動車の横幅の狭化に対して格段の効果か得られ、着座位置による後方確認範囲調整の煩雑さから開放され、目線の集中化により視覚不備による交通事故の軽減につながる。
【考案を実施するための最良の形態】
【０００６】拡大レンズを用いたファイバースコープを収納できる最低限のスペースを持った構造物。（説明別紙）
【実施例】
【０００７】本考案は、従来の物体を反射させる鏡状の構造物に代えて使用性を向上させるものである。
【産業上の利用可能性】
【０００８】市場のニーズなどからすると計り知れないものがあり、産業上での利用可能性は多大である。
【図面の簡単な説明】
【０００９】
【図１】
【符号の説明】
【００１０】Ａ：自動車車体全幅
Ｂ：自動車車体幅
Ｃ：Ｂに同じ
【図２】
0003177840.tif 000003
【手続補正書】
【提出日】平成24年4月5日(2012.4.5)
【手続補正１】
【補正対象書類名】実用新案登録請求の範囲
【補正対象項目名】全文
【補正方法】変更
【補正の内容】
【実用新案登録請求の範囲】
【請求項１】
広角レンズ使用のファイバースコープをサイドミラーの位置に有し該ファイバースコープによる側面後方視界を映すモニターを車内前方に有することを特長とする自動車
【手続補正２】
【補正対象書類名】明細書
【補正対象項目名】０００９
【補正方法】変更
【補正の内容】
【０００９】
【図１】車幅の説明図
【図２】モニター投影説明図
【手続補正３】
【補正対象書類名】明細書
【補正対象項目名】０００６
【補正方法】変更
【補正の内容】
【０００６】拡大レンズを用いたファイバースコープを収納できる最小限のスペースを持った構造物。
【手続補正４】
【補正対象書類名】図面
【補正対象項目名】全図
【補正方法】変更
【補正の内容】
【図１】
0003177840.tif 000004
【図２】
0003177840.tif 000005
(57)【要約】      （修正有）【課題】水中抵抗運動において適用部位に適切な抵抗力がかかる構造を有した、膝関節強化水中運動具を提供する。【解決手段】膝関節強化水中運動具は、左右の筒体１、２、と、両者を連結する連結材３と、その両端に取り付けたゴムベルト４とより構成されている。筒体１、２は、ゴムベルト４を下肢に巻きつけて節着布５で接合して下肢に固定される。また、下肢頚部前面に連結材３がくるように装着し、ゴムベルト４で固定する。使用に当たっては、両足に膝関節強化水中運動具をつけて水中に入り歩行する。上記により、水中歩行をすると上体が前のめりにならず、抵抗のついた足が先行する。【選択図】図１
0003177859.tif 000002
【実用新案登録請求の範囲】
【請求項１】
膝関節と足首の間の下肢に装着する左右一対の筒体のうち、少なくとも一方の筒体と、その一方の筒体を下肢に固定する固定具とよりなり、前記両筒体はそれぞれ少なくとも下肢の外側に装着し、その装着状態において前方が大きな開口部、後方が小さな開口部となっていることを特徴とする膝関節強化水中運動具。
【考案の詳細な説明】
【技術分野】
【０００１】    この考案は水中抵抗運動によって膝関節周囲の筋肉を強化する膝関節強化水中運道具に関するものである。
【背景技術】
【０００２】    水中抵抗運動には腕の筋肉強化や体全体の水中抵抗運動具はある（特許文献１参照）。しかし膝関節についてのものはみつからない。
【先行技術文献】
【特許文献】
【０００３】
【特許文献１】特開平７−２７５３９４公報
【考案の概要】
【考案が解決しようとする課題】
【０００４】  通常の水中歩行では上半身が足より先行してしまうか、もしくは同時になる。
前のめりの姿勢のために膝関節周囲の筋肉をあまり使はない。このため膝関節周囲の筋肉強化はできなかった。
本考案はこれらの問題点を解決できる膝関節強化水中運動具を提供することを課題とする。
【課題を解決するための手段】
【０００５】  本考案が提案する膝関節強化水中運動具は適用部位にたいして適切な抵抗圧力が加わることを主要な特徴とするものである。
【考案の効果】
【０００６】  使用する人が筋力の弱い人であっても体力に相応しい力で進めばよく、水中運動具は下腿脛部に固定するために下腿の屈曲に対してほぼ９０度の角度を保つことができ高い運動効果を得られる。
【図面の簡単な説明】
【０００７】
【図１】本考案の実施例の膝関節強化水中運動具の正面図である。
【図２】本考案の実施例の膝関節強化水中運動具の背面図である。
【図３】本考案の膝関節強化水中運動具の装着状態を示す図である。
【考案を実施するための形態】
【０００８】  本願の膝関節強化水中運動具の実施例を図１、２、３を参照しながら説明する。
【実施例】
【０００９】  実施例に係る膝関節強化水中運動具は、左右の筒体１、２、と、両者を連結する連結材３と、その両端に取り付けたゴムベルト４とより構成されている。
筒体１、２は、ゴムベルト４を下肢に巻きつけて節着布５で接合して下肢に固定される。【００１０】  下肢頚部前面に連結材３がくるように装着し、ゴムベルト４で固定する。【００１１】  両足に膝関節強化水中運動具をつけて水中に入り歩行する。【００１２】  本考案により水中歩行をすると上体が前のめりにならず、抵抗のついた足が先行する。浮力により膝関節内の摩擦の減少を維持したままで関節周囲の筋肉のみを強化することができる。
膝関節痛に悩んでいる方々に貢献することができる。
なお、筒体１，２は、いずれか一方を一方の足の下肢に取り付けて使用することができる。
【符号の説明】１、２、  筒体
３、  連結材
４、  ゴムベルト
５、  接着布
【図１】
0003177859.tif 000003
【図２】
0003177859.tif 000004
【図３】
0003177859.tif 000005
(57)【要約】      （修正有）【課題】ファッション性と機能性を併せ持つよだれかけ（スタイ）を提供する。【解決手段】リバーシブル、マフラー型とし、内部に撥水加工を施した生地を縫い付ける。【選択図】図１
0003177858.tif 000002
【実用新案登録請求の範囲】
【請求項１】
よだれかけ（スタイ）をカットソウ素材や布帛素材を使用したリバージブル・マフラー型にする事によって外出時や着せる服により何種類かのファッションを楽しめ、尚かつ内部に細番手カットソウ生地に撥水加工を施した生地を縫い付ける事によって表面から裏面、裏面から表面への汚れの浸透を防ぎ、柔らかくて、赤ちゃんに優しい着け心地と機能性を高めたリバーシブル・マフラー型のよだれかけ（スタイ）。
【考案の詳細な説明】
【技術分野】
【０００１】  本考案は、ファッションアイテムに多様性と機能性を付けたよだれかけ（スタイ）に関するものである。
【考案の概要】
【考案が解決しようとする課題】
【０００２】  よだれかけ（スタイ）は、ファッション性や多様性を重視したものが少なく、またそれに商品の硬化や付け心地に配慮した機能性（汚れの浸透を防ぐ）を付加したものはなかった、本考案は、この課題を解消するためになされたものである。
【課題を解決するための手段】
【０００３】  ａ・ｂにカットソウ素材や布帛素材を使用したマフラー型にする事によってファッション性を高めリバーシブル仕様にする事によって多様性も兼ね備える商品とする。
また、内部に細番手カットソウ生地に撥水加工を施した生地ｄを縫い付ける事によって表面から裏面、裏面から表面への汚れの浸透を防ぐ事が出来る機能性を高めると同時に商品が硬くなったり着け心地が悪くなるのを防ぐ事が可能です。
Ｃは筒状になっており、先端を通す事により着脱やサイズ調整が簡易に出来ます。
【考案の効果】
【０００４】  表面・裏面を異なる素材のリバーシブル・マフラー型にする事によって服装によっての何通りかのファッションを楽しめたり外出時の利便性が高まる効果があり、内部に撥水加工を施した薄手カットソウ生地を縫い付ける事によって表面から裏面、裏面から表面への汚れの浸透を防ぐ事が出来ると同時に柔らかい商品化を実現し、赤ちゃんに優しい着け心地を可能にした。
【図面の簡単な説明】
【０００５】
【図１】  本考案の正面図である。
【図２】  本考案の使用状態を表す断面図である。
【考案を実施するための形態】
【０００６】  ａ・ｂの真ん中にｄを付ける。ｃは筒状になっており、先端を通す。
【符号の説明】
【０００７】  ａ表面
ｂ裏面
ｃ先端の通し穴
ｄ撥水加工を施した生地
【図１】
0003177858.tif 000003
【図２】
0003177858.tif 000004